(57)【要約】【課題】室外側からのドアースコープの取り外しを不可能とし、防犯上安全なオーナメント付きドアースコープを提供する。【解決手段】オーナメント１の下端近傍に表裏を貫通するようにドアースコープ３の覗き孔５が形成されるとともにオーナメント１の上端近傍の裏面には上向きの爪片４が一体に設けられ、前記覗き孔５の位置でオーナメント１にはドアースコープ６の内筒１１が裏面側に突出するようにビス９止めにて取り付けられ、前記爪片４をドアー２の外側表面側に形成した孔部２０に斜め下側から引っ掛けるとともに、内筒１１をドアー２に形成した差し込み孔２１に差し込み、かかる状態でドアー２の内側から外筒１５を内筒１１に螺合させて締め付けるようにした。【選択図】    図４
2005139808.tif 000002
【特許請求の範囲】
【請求項１】
オーナメントに表裏を貫通するようにドアースコープの覗き孔が形成されるとともにオーナメントの裏面には爪片が一体に設けられ、前記覗き孔の位置でオーナメントにはドアースコープの内筒が裏面側に突出するように設けられ、前記爪片をドアーの外側表面側に形成した孔部に引っ掛けるとともに、内筒をドアーに形成した差し込み孔に差し込み、かかる状態でドアーの内側から外筒を内筒に螺合させて締め付けるようにしたことを特徴とするオーナメント付きドアースコープ。
【請求項２】
ドアースコープの覗き孔はオーナメントの下端近傍に設けられていることを特徴とする請求項１記載のオーナメント付きドアースコープ。
【請求項３】
爪片はオーナメントの上端近傍の裏面に設けられていることを特徴とする請求項１または２記載のオーナメント付きドアースコープ。
【請求項４】
オーナメントが両面粘着テープによりドアーの外側表面に貼り付けられるようにしたことを特徴とする請求項１または２または３記載のオーナメント付きドアースコープ。
【発明の詳細な説明】
【技術分野】
【０００１】
本発明は、オーナメント付きドアースコープに関するものである。
【背景技術】
【０００２】
従来のこの種ドアースコープとして、例えば特許文献１に開示されている防犯レンズが知られている。この特許文献１に開示されている防犯レンズは、ドアーに形成された取付孔に対し、一端に室外側フランジ部を有する第１の筒状体を室外側から挿入して室内側から挿入した一端に室内側フランジ部を有する第２の筒状体に対向させつつ螺合させ、前記第１の筒状体の他端側においてストッパー片とスリーブにより挟持される接眼レンズとしての凸レンズと、第１の筒状体の一端側の室外側フランジ部内側におけるレンズ収容凹部に接着剤により接着固定される対物レンズとしての凹レンズとを備えてなるものが知られている。
【特許文献１】特開２００２−３０８７５号公報
【発明の開示】
【発明が解決しようとする課題】
【０００３】
前記特許文献１に開示されている従来のドアースコープの構成では、室外側から第１の筒状体をペンチなどの工具を用いて回すことにより第１の筒状体を第２の筒状体から外すことができ、その状態で第２の筒状体を室内側に押し込むことによりドアーに形成された取付孔は空洞状態となり、室内が覗かれ、さらには適当な道具を取付孔に差し込み、ドアー錠のサムターンを解除し、ドアーが簡単に開けられてしまい、防犯上問題があった。
【０００４】
本発明の目的は、これらの課題を達成するものであり、室外側からのドアースコープの取り外しを不可能とし、防犯上安全なオーナメント付きドアースコープを提供することにある。
【課題を解決するための手段】
【０００５】
本発明の請求項１に記載のオーナメント付きドアースコープは、オーナメントに表裏を貫通するようにドアースコープの覗き孔が形成されるとともにオーナメントの裏面には爪片が一体に設けられ、前記覗き孔の位置でオーナメントにはドアースコープの内筒が裏面側に突出するように設けられ、前記爪片をドアーの外側表面側に形成した孔部に引っ掛けるとともに、内筒をドアーに形成した差し込み孔に差し込み、かかる状態でドアーの内側から外筒を内筒に螺合させて締め付けるようにしたことを特徴とする。
【０００６】
請求項２に記載のオーナメント付きドアースコープは、ドアースコープの覗き孔はオーナメントの下端近傍に設けられていることを特徴とする。
請求項３に記載のオーナメント付きドアースコープは、爪片はオーナメントの上端近傍の裏面に設けられていることを特徴とする。
【０００７】
請求項４に記載のオーナメント付きドアースコープは、オーナメントが両面粘着テープによりドアーの外側表面に貼り付けられるようにしたことを特徴とする。
【発明の効果】
【０００８】
以上のように、本発明は、オーナメントおよびドアースコープをドアーの外側から取り外そうとしても、ドアーの内側から外筒を外さない限り不可能であり、防犯上安全なオーナメント付きドアースコープを提供することができる。
【発明を実施するための最良の形態】
【０００９】
以下、本発明の一実施の形態を、図１〜図４を用いて具体的に説明する。
図において、１はドアー２の外側表面に取り付けられる装飾用の金属製オーナメントで、このオーナメント１の上端裏面には段部３が形成され、この段部３よりやや下側位置においてオーナメント１の上端近傍裏面には上向きの爪片４が一体に設けられている。５はオーナメント１の下端近傍に表裏を貫通するように形成されているドアースコープの覗き孔で、この覗き孔５の位置でオーナメント１にはドアースコープ６が裏面側に突出するように取り付けられている。ドアースコープ６は前記覗き孔５を上下から挟む位置でオーナメント１の裏面に形成された凹部７に一端側の上下のフランジ板部８を嵌め合わされて上側のフランジ板部８がオーナメント１の裏面側よりビス９止めされ外面に雄ねじ１０が形成されたる内筒１１と、この内筒１１の他端側内部に形成された段部１２に収納され接着により内筒１１に取り付けられた凸レンズ１３と、前記内筒１１の他端側より内面の雌ねじ１４が前記雄ねじ１０に螺合され内筒１１の外側に被さる外筒１５と、前記覗き孔５内に内筒１１一端側の段部１６に当接するように収納され段部１６および覗き孔５に対し接着により取り付けられた２枚の凹レンズ１７とから構成されている。なお、１８は前記外筒１５の前記内筒１１へのねじ込み側一端とは反対側の他端に形成されている鍔部で、この鍔部１８には締め込み用の治具を係合させる溝１８ａが形成されている。
【００１０】
上記構成においてオーナメント１と一体的にドアースコープ６をドアー２に取り付ける場合は、オーナメント１の裏面に両面粘着テープ１９を貼り付け、またオーナメント１側に取り付けられている内筒１１から前記外筒１５を取り外した状態で、オーナメント１の爪片４をドアー２の外側表面側に形成した孔部２０に斜め下側から引っ掛けるとともに、内筒１１をドアー２に形成した差し込み孔２１に差し込む。これと同時に、前記オーナメント１裏面の両面粘着テープ１９をドアー２の外側表面に貼り付ける。その後、ドアー２の内側から前記差し込み孔２１に外筒１５を差し込み、外筒１５を内筒１１に螺合させ、前記溝１８ａに治具を係合させて締め込む。これにより、内筒１１の鍔部１８はドアー２の内側表面に強く当接して、ドアー２は厚み方向にオーナメント１と内筒１１の鍔部１８とで挟まれることになる。しかも、前述のようにオーナメント１の爪片４はドアー２の外側表面側に形成した孔部２０に斜め下側から引っ掛けられ、オーナメント１が両面粘着テープ１９によりドアー２の外側表面に貼り付けられ、ドアースコープ６はドアー２の差し込み孔２１に差し込まれているので、オーナメント１およびドアースコープ６をドアー２の外側から取り外そうとしても、ドアー２の内側から外筒１５を外さない限り不可能であり、防犯上安全なオーナメント付きドアースコープを提供することができる。
【００１１】
ところで、上記した実施の形態において、爪片４はオーナメント１の上端近傍に設けられ、覗き孔５はオーナメント１の下端近傍に設けられているが、覗き孔５をオーナメント１の上端近傍に設け、爪片４をオーナメント１の下端近傍、あるいはそれ以外の箇所に設けることも可能である。また、爪片４は上向きだけでなく、下向き、横向きであっても良い。さらに、前記内筒１１はオーナメント１の裏面側にビス９止めされて設けられているが、ビス９止め以外にかしめなどにより設けられても良い。
【図面の簡単な説明】
【００１２】
【図１】本発明の一実施の形態におけるオーナメント付きドアースコープの正面図である。
【図２】同オーナメント付きドアースコープの縦断面図である。
【図３】同オーナメント付きドアースコープをドアーに取り付ける途中の状態を示す縦断面図である。
【図４】同オーナメント付きドアースコープをドアーに取り付け完了した状態を示す縦断面図である。
【符号の説明】
【００１３】
１    オーナメント
２    ドアー
４    爪片
５    覗き孔
６    ドアースコープ
７    凹部
８    フランジ板部
９    ビス
１０    雄ねじ
１１    内筒
１２    段部
１３    凸レンズ
１４    雌ねじ
１５    外筒
１６    段部
１７    凹レンズ
１８    鍔部
１９    両面粘着テープ
２０    孔部
２１    差し込み孔
【図１】
2005139808.tif 000003
【図２】
2005139808.tif 000004
【図３】
2005139808.tif 000005
【図４】
2005139808.tif 000006